(57)【特許請求の範囲】
【請求項１】
単数又は複数の第１の電極が形成された透光性基板と、前記透光性基板に対向配置され、単数又は複数の第２の電極が形成された背面基板と、前記透光性基板と前記背面基板との間に形成され、前記第１の電極と前記第２の電極との何れか一方の複数の電極を各々取り囲む隔壁と、前記透光性基板及び前記背面基板並びに前記隔壁から形成される複数の領域に封入される透光性媒質と、前記透光性媒質内で前記第１の電極と前記第２の電極との間で発生する電界の方向に移動制御される電気泳動粒子とを備える画像表示装置であって、
前記第１の電極と前記第２の電極との何れか一方は、他方の電極が前記隔壁に取り囲まれる領域よりも狭小に形成され、
前記隔壁は、前記透光性基板側に設けられた第１の透光性部材と、前記第１の透光性部材に接する境界面を有し、実部が前記第１の透光性部材の屈折率と異なる複素屈折率を有する光学部材との双方を備え、
前記複素屈折率の虚部がゼロである場合は、
前記光学部材は、前記複素屈折率の実部が前記第１の透光性部材の屈折率よりも大きな単数又は複数の第２の透光性部材であり、
前記境界面は、前記透光性基板に対して平行な屈折面であり、
一方、前記複素屈折率が虚部を主体とする場合は、
前記光学部材は、光反射部材であり、
前記境界面は、前記透光性基板に対して傾斜を有する反射面である
ことを特徴とする画像表示装置。
【請求項２】
前記背面基板は、光を反射し、前記第２の電極を含む反射部材が形成され、
前記屈折面を屈折した屈折光あるいは前記反射面を反射した反射光が前記反射部材により反射することにより前記透光性基板から出射することを特徴とする請求項１に記載の画像表示装置。
【請求項３】
前記狭小に形成される電極は、前記透光性基板あるいは前記背面基板の何れかの表面の前記隔壁に取り囲まれる領域に形成される金属層に透光性の絶縁層を周囲に積層させて形成されることを特徴とする請求項１又は請求項２に記載の画像表示装置。
【請求項４】
前記第２の電極は、前記隔壁に取り囲まれる領域よりも狭小に形成され、光を反射する反射電極であり、
前記反射電極の周囲に反射部材が併設されている
ことを特徴とする請求項１ないし請求項３の何れか一項に記載の画像表示装置。
【請求項５】
前記第２の電極は、光を反射する反射電極であり、
前記第１の電極は、光を透過する透光性電極からなる
ことを特徴とする請求項１ないし請求項４の何れか一項に記載の画像表示装置。
【請求項６】
前記第１の電極と前記第２の電極との何れか一方が複数列から構成されていることを特徴とする請求項１ないし請求項５の何れか一項に記載の画像表示装置。
【請求項７】
前記透光性基板と前記背面基板との何れか一方の表面に透光性の凸凹層を形成してなることを特徴とする請求項１ないし請求項６の何れか一項に記載の画像表示装置。
【請求項８】
前記凸凹層は、複数のマイクロレンズを形成してなることを特徴とする請求項７に記載の画像表示装置。
【請求項９】
前記光学部材が前記複素屈折率の虚部を主体とするとき、
前記透光性媒質の屈折率がｎ２であり、前記第１の透光性部材の屈折率がｎ３であり、前記反射面と前記透光性基板とが傾斜する角度の最大値である最大傾斜角がαであるとき、
ｎ3＞ｎ2の場合には、
【数１】
0004806220.tif 000013
ｎ3≦ｎ2の場合には、
【数２】
0004806220.tif 000014
を満たすことを特徴とする請求項１ないし請求項３の何れか一項に記載の画像表示装置。
【請求項１０】
前記光学部材が前記複素屈折率の虚部を主体とするとき、
前記透光性媒質の屈折率がｎ3であり、前記反射面と前記透光性基板とが傾斜する角度の最大値である最大傾斜角がαであるとき、
【数３】
0004806220.tif 000015
を満たすことを特徴とする請求項１ないし請求項３の何れか一項に記載の画像表示装置。
【請求項１１】
前記光学部材が前記複素屈折率の虚部を主体とするとき、
前記透光性基板の前記隔壁に凹レンズ状のレンズ部材を備え、
前記レンズ部材を介して、前記隔壁に光が入射することを特徴とする請求項１ないし請求項３の何れか一項に記載の画像表示装置。
【請求項１２】
前記光学部材が前記複素屈折率の虚部を主体とするとき、
前記第１の電極は、前記透光性基板のＶ字状の溝部の傾斜面に形成された光反射性電極であり、
前記透光性基板の屈折率をｎ1としたとき、前記溝部の傾斜角度γを
【数４】
0004806220.tif 000016
としたことを特徴とする請求項１ないし請求項３の何れか一項に記載の画像表示装置。
【請求項１３】
前記複素屈折率の虚部がゼロであるとき、
前記光学部材を前記第２透光性部材に代えて、前記複素屈折率の実部が前記第１透光性部材の屈折率よりも小さい第３の透光性部材を用い、
前記境界面は、前記透光性基板に対して傾斜を有した反射面であることを特徴とする請求項１に記載の画像表示装置。
【発明の詳細な説明】
【技術分野】
【０００１】
本発明は、電気泳動粒子を用いた画像表示装置に関する。
【背景技術】
【０００２】
透明基板と背面基板との間に設けられた隔壁を用いてマトリクス状に区画された画素に透光性媒質を封入し、透光性媒質中に着色荷電粒子を分散させ、画素ごとに電界制御粒子移動により画像を表示せしめる画像表示装置が開示されている（特許文献１）。
この画像表示装置は、背面基板に配した第１の電極と隔壁に配置した第２の電極とに印加する電圧を変調させて、着色荷電粒子を移動させている。この粒子移動によって画素ごとに粒子色と背景色に切り替え、画像表示を行っている。例えば、着色荷電粒子が背面基板側の電極に引き付けられると、この画素は着色荷電粒子のもつ第１の色を呈する。また、着色荷電粒子を隔壁側の電極に移動させると、この画素は背面基板側の電極のもつ第２の色を呈するようになる。
また、特許文献２には、透明基板及び背面基板に画素に電極を設けて、電気泳動粒子（着色荷電粒子）を透明基板側に移動させ電気泳動粒子の色を見るようにし、背面基板側に移動させて電気泳動粒子が分散される溶媒の色を見るようにする表示装置が開示されている。また、この装置の隔壁は、観測者側に透明性部材を用いて、隔壁からも色を観測することができるようにして、入射光量と反射光量との比である反射率やコントラストの低下を防止している。
【特許文献１】特開平９−２１１４９９号公報
【特許文献２】特開２００３−６６４９４号公報
【発明の開示】
【発明が解決しようとする課題】
【０００３】
特許文献１の技術は、隔壁部で入射光線が遮られるため、斜め方向からの光線の入射及び斜め方向への反射が制限され、表示装置の反射率及び視角特性を劣化させていた。
特許文献２の技術は、透明基板側の電極に移動した電気泳動粒子の層、あるいは、透明基板側の溶媒のみの層に隔壁から斜めに入射する光が反射率に貢献していた。また、背面基板側の層にも光が斜めに入射するように、観測者側だけでなく隔壁の全体に透明性部材を用いると、背面基板側の色が表れ、コントラストの低下を招くことがある。
本発明は、入射光量と反射光量との比である反射率を向上させることができる画像表示装置を提供することを課題とする。
【課題を解決するための手段】
【０００４】
前記課題を解決するため本発明は、単数又は複数の第１の電極が形成された透光性基板と、前記透光性基板に対向配置され、単数又は複数の第２の電極が形成された背面基板と、前記透光性基板と前記背面基板との間に形成され、前記第１の電極と前記第２の電極との何れか一方の複数の電極を各々取り囲む隔壁と、前記透光性基板及び前記背面基板並びに前記隔壁から形成される複数の領域に封入される透光性媒質と、前記透光性媒質内で前記第１の電極と前記第２の電極との間で発生する電界の方向に移動制御される電気泳動粒子とを備える画像表示装置であって、前記第１の電極と前記第２の電極との何れか一方は、他方の電極が前記隔壁に取り囲まれる領域よりも狭小に形成され、前記隔壁は、前記透光性基板側に設けられた第１の透光性部材と、前記透光性部材に接する境界面を有し、実部が前記屈折率と異なる複素屈折率を有する光学部材との双方を備え、前記複素屈折率の虚部がゼロである場合は、前記光学部材は、前記複素屈折率の実部が前記第１の透光性媒質の屈折率よりも大きな単数又は複数の第２の透光性部材であり、前記第２の透光性部材は、前記透光性基板側が前記背面基板側よりも低屈折率であり、前記第１の透光性部材と前記光学部材とは、境界面が前記透光性基板に対して平行な屈折面であり、一方、前記複素屈折率が虚部を主体とする場合は、前記光学部材は、光反射部材であり、前記境界面は、前記透光性基板に対して傾斜を有する反射面であることを特徴とする。
【０００５】
第１の電極と第２の電極との何れか一方は、他方の電極が隔壁に取り囲まれる領域よりも狭小に形成されているので、何れかの電界の方向で電気泳動粒子が狭小な電極に移動する明状態になる。この状態で、隔壁に傾斜して入射する入射光が第２の電極を含む反射部材で反射し、この光が透光性基板から出射する。これにより、入射光量と反射光量との比である反射率が向上する。
【０００７】
複素屈折率がｎ＝ｎ1−ｊｋの光学部材に空気から垂直入射させたとき、入射光の強度と反射光の強度の比である強度反射率Ｒ0は、
Ｒ0＝｜ｎ−１｜2／｜ｎ＋１｜2＝｛（ｎ1−１）2＋ｋ2｝／｛（ｎ1＋１）2＋ｋ2｝
で表現される。虚部ｋがゼロであれば、この光学部材は、屈折率ｎ1で屈折する透光性の屈折部材であるが、この式より、虚部を主体とする場合、特に、虚部ｋが非常に大きいときには、Ｒ0＝１に近似し、反射部材を表す。
【０００８】
複素屈折率の虚部がゼロである場合、隔壁は、屈折面が透光性基板に平行になるように、透光性基板側に設けられた第１の透光性部材と、透光性基板側が背面基板側よりも低屈折率な第２の透光性部材とを備える。すなわち、隔壁は、屈折面が透光性基板に平行な複数の異なる透光性部材を備える。
これにより、隣接する隔壁に入射し、第１の透光性部材又は第２の透光性部材を通過する入射光が、第１の透光性部材又は第２の透光性部材と透光性媒質との境界で屈折する。そして、この屈折光が第２の電極で反射するので反射光量が増加する。ここで、第２の透光性部材の屈折率が第１の透光性部材の屈折率よりも大きいので、第２の電極に向かう屈折光が増加し、反射光量が増加する。
一方、複素屈折率が虚部を主体とする場合、隔壁は、境界面が透光性基板に対して傾斜を有するように、透光性基板側に設けられた第１の透光性部材と、光反射部材とを備える。これにより、隔壁に入射し第１の透光性部材を通過する入射光が、光反射部材を反射し、この反射光が第２の電極で反射するため、反射光量が増加する。したがって、隔壁に入射した入射光を第２の電極で反射させることができる。
【発明の効果】
【０００９】
本発明によれば、入射光量と反射光量との比である反射率を向上させることができる画像表示装置を提供することができる。
【発明を実施するための最良の形態】
【００１０】
（第１実施形態）
本実施形態の画像表示装置の構造図を図１に示す。図１（ａ）は上面図であり、図１（ｂ）はＡ−Ａ’断面における断面図である。背面基板１０２に下部電極１０３と後記する粒子移動手段１０５からなる画素を２次元的に配置する。各画素間は隔壁１０８によって仕切られている。また、透光性基板１０１には上部電極１０４をストライプ状に設けてある。ここでストライプ状の上部電極１０４の幅は基板面内のＡ−Ａ’断面方向において、透光性基板１０１に設けた下部電極１０３の幅より狭くしてある。そして、透光性基板１０１と背面基板１０２との間に透光性液体である透光性媒質１０７と着色荷電粒子１０６とを満たし、粒子移動手段１０５の作用によって、図２に示すように透光性媒質１０７中で着色荷電粒子１０６を画素毎に移動させて反射率を変調し画像を表示する。ここで、上部電極１０４は一定の電位とし、粒子移動手段１０５の作用で下部電極１０３を上部電極１０４と比して正の電圧又は負の電圧に切り替えると着色荷電粒子１０６は上部電極１０４又は下部電極１０３に移動する。図２（ａ）に示すように、着色荷電粒子１０６が上部電極１０４に移動すると画素は下部電極１０３又は背面基板１０２の色を呈する。ここで、下部電極１０３又は背面基板１０２が可視光全域において高い強度反射率を有している場合には白が表示される。図２（ｂ）のように下部電極１０３上に移動すると画素の色は粒子色に切り替わる。例えば着色荷電粒子１０６が可視光全域で高い吸収率を有する場合、光は吸収され、黒が表示される。なお、以下の説明において「上、下」とは、図面を基準にした表現であり、図の表し方によっては上下が逆になったり、左右に表現されたりする。
【００１１】
また、図３は、透光性基板１０１側と背面基板１０２側とで異なる屈折率の透光性部材を基板に平行に接続して隔壁１０８としたものである。ここで、透光性基板１０１側の隔壁が上部隔壁１０８Ｂであり、背面基板１０２側の隔壁が下部隔壁１０８Ａである。
【００１２】
本画像表示装置は、画素毎に粒子を移動させて反射率を変調し画像を表示するが、粒子密度の画面内の経時変化を抑え、また２枚の基板間隔を面内で均一に保つため画素毎に、又は複数画素毎に隔壁を設けることが有効である。そこで、前記のような画素構造の表示装置において隔壁に透光性材料を用いると隔壁近傍の遮光効果が大幅に軽減され、斜めからの入射光量及び反射光量が増加し、反射率及び視角特性が大幅に改善される。さらに遮光層１１１を隔壁１０８に対して背面基板１０２側に設ければ黒表示時の反射率は低く抑えられ、高いコントラスト比の画像表示装置が得られる。
ここで遮光層１１１は、カーボンブラック等の黒色粒子を分散させた樹脂やＣｒ等の金属を黒化させたもので形成すればよい。また、遮光層１１１は、隔壁１０８に対して背面基板１０２側に形成されていればよい。
図３（ａ）、（ｂ）に示すように、遮光層１１１を下部電極１０３の下又は上にパターン化して形成してもよいし、図３（ｃ）に示すように下部電極１０３の下の平坦又は凹凸を有する層として形成してもよい。また、図３（ｄ）に示すように背面基板１０２の一部又は全面が遮光していても同様の効果が得られる。
【００１３】
隔壁の上面構造は、図４に示すように画素ごとに格子状に設けてもよいし、図５に示すようにストライプ状にしても有効である。また、図４、５では画素ピッチと同一ピッチの隔壁を形成したが、画素ピッチの整数倍で形成しても効果はある。
【００１４】
図６は特許文献１に記載の画像表示装置の白表示時に斜め方向から光線が入射した場合の光線軌跡を示す。隔壁２０３の側面に入射する光線Ａ、あるいは、上面に入射する光線Ｂが、遮光層２０８、着色荷電粒子２０６あるいは第１の電極２０４に遮光され反射率が低下する。また、反射電極（第２の電極）２０５に入射した光線Ｃ及び光線Ｄのうち光線Ｄも、反射した後に隔壁２０３近傍で遮光され視角特性の低下の原因となる。この技術の光線の入射角度θと反射率の関係を図７に示す。入射角度θが大きくなるに従って、反射率が急激に低下していることが分かる。この反射率低下は、隔壁の占める面積比率が大きくなる高精細度の画像表示装置で特に顕著となる。
【００１５】
一方、本実施形態の画像表示装置の白表示時に斜め方向から光線が入射した場合の光線軌跡を図８に示す。上部隔壁１０８Ｂ、下部隔壁１０８Ａが透光性であって、着色荷電粒子１０６は隔壁近傍に集められておらず、かつ遮光層１１１が下部隔壁１０８Ａの背面基板１０２側に配置されているため、入射光線Ａ、Ｂが遮光されることなく下部電極１０３に入射されるため反射率が向上する。また、下部電極１０３で反射された光線Ｄも隔壁１０８部で遮光されることなく反射されるため視角特性が改善される。図７に示した本実施形態の光線の入射角度θと反射率の関係において、入射角度θが大きい場合にも反射率は低下しないことがわかる。
【００１６】
ここで、図８に示した隔壁材料を透光性媒質１０７より高屈折な材料とすると、光線Ａのように隔壁側面から入射する光線が隔壁底部を避けるように屈折するため、より多くの光線が下部電極１０３に入射することとなり、反射率を高めることができることから好適である。一方、上部隔壁１０８Ｂの上面から入射する光線Ｂに対しては、上部隔壁１０８Ｂに低屈折材料を用いた方が、隔壁底部を避けるように屈折するため、より多くの光線が下部電極１０３に入射し反射率を高めることができて好適である。このため、上部隔壁１０８Ｂは下部隔壁１０８Aと比して低屈折な材料を用いると特に好適である。さらに透光性媒質１０７より低屈折の材料を用いると隔壁上面から入射した光線のうち透光性媒質との界面全反射によって隔壁底部まで導かれる光線が無くなり特に好適な構造となる。
【００１７】
図７に示した本発明の反射率特性のＡにおける不連続点は、この点より入射角度θが低い側で隔壁上面から入射した光線で全反射が発生したことによるもので上面を低屈折材料とすることで、不連続点Ａは低角度側にシフトし、低入射角度側で反射率を高めることができ好適である。さらに、屈折率を透光性媒質１０７より低くすると不連続点を無くすことができ、低入射角度側で反射率をさらに高めることができ特に好適である。一方、Ａより高入射角度の領域の反射率は、隔壁側面からの入射によるもので下部隔壁１０８Aの屈折率を高くすることでより高い反射率が可能となる。
【００１８】
隔壁部と同様な光学効果は上部電極１０４上でも得られる。図９は、透光性基板１０１から突起した突起層１１３を介して上部電極１０４を設けた画像表示装置である。突起層１１３を透光性にすれば好適で、さらに透光性媒質１０７より高屈折材料を用いると側面から入射する光線ロスが低減できて高反射率の画像表示装置が得られる。さらに図１０に示すように高屈折材料からなる突起層１１３Ａと透光性基板１０１の間に、突起層１１３Ａと比して低屈折な材料からなる突起層１１３Ｂを設けると上面からの入射光に対するロスも低減できてさらに好適である。
【００１９】
本実施形態において、透光性媒質１０７は水、アルコール、油類、石油類等の無色の液体である。また、酸素、窒素、不活性ガス、空気といった気体や真空の場合もある。また着色荷電粒子１０６は、所望色の顔料粒子が帯電されたものを用いる。例えば、黒色の着色荷電粒子１０６を用いると白黒表示可能な画像表示装置が得られる。また着色荷電粒子１０６の吸収色に応じた色を呈する画像表示装置も得ることができる。
【００２０】
ここで隔壁材料としては、ポリケイ皮酸ビニル、アジド・ノボラック系樹脂、スチレン系ポリマー重合体、メタクリレート系ポリマー重合体、アクリル系樹脂、カルドポリマー重合体、フッ素系樹脂等の有機材料や透光性の無機材料について感光性を用いたフォトリソグラフィやエッチング、型に押し込む熱変形等の手法により形成できる。特に隔壁底部の高屈折材料部には、樹脂自体が高屈折の材料を用いてもよいし、樹脂内にＴｉＯ2、Ａｌ2Ｏ3、ＺｎＯ、高屈折率の透光性材料を粒径数１0〜数１００nm程度に微粒子として含浸させてもよい。また、隔壁上面部の低屈折材料部には、低屈折の材料を単体で用いてもよいし、樹脂内に低屈折率の透光性材料を粒径数１0〜数１００nm程度に微粒子として含浸させてもよい。また、多孔質化しても同様の効果が得られる。
【００２１】
また、本画像表示装置では、下部電極１０３に可視光を反射する導電性材料を用いると、この部分が反射層を兼ねることとなり、視差の少ない高精細対応の表示装置が得られる。ここで用いる可視光を反射する導電性材料は、Ａｌ、Ａｇ、Ｃｒ、Ｍｏ、Ａｕ、Ｎｉ、Ｃｕ等の金属材料を単体又は複合して用いることができる。また、この反射面に適当な凹凸を生ぜしめることで反射光に拡散性を与えることができる。この拡散反射面は、その凹凸形状により反射光の拡散範囲を所望の範囲に設定することが可能で、拡散範囲を狭めることによって適当な範囲において高輝度の画像が得られる。
【００２２】
このような拡散性は、例えば、図１１（ａ）に示すように下部電極１０３を凹凸層１１４の上に形成することで拡散反射効果により得ることができる。ここで、凹凸層１１４は、複数のマイクロレンズ状に形成されることが好ましい。また、凹凸層１１４が透光性であってかつ屈折率が透光性媒質１０７と異なる場合には図１１（ｂ）又は図１１（ｃ）のように下部電極１０３上に、又は、透光性基板１０１の内面に凹凸層１１４を設けることでレンズ効果によって拡散性が得られる。また、凹凸層１１４が透光性であってかつ屈折率が１以外の場合には図１１（ｄ）のように、透光性基板１０１の外面に凹凸層を設けることで拡散性を調節でき、好適な視角特性を有する画像表示装置が得られる。
【００２３】
ここで、図１１（ｃ）又は図１１（ｄ）の構成において、凹凸層１１４は透光性基板１０１上に塗布、露光又はフィルム状のものを貼り付ける等の手法により形成してもよいし、基板表面及び裏面を熱変形、化学エッチング等の手法を用いて直接形成しても構わない。また、所望の拡散性を得るため、図１１（ａ）〜図１１（ｄ）に示した手法は単一で用いてもよいし、複合して用いても構わない。
【００２４】
さらに、画面輝度を高め白表示時に純白に近い反射色を得るためには、反射面上に紫外光を吸収して可視光を発光する蛍光増白剤を反射層上に塗布する透光性媒質内に含有させてればよい。蛍光増白剤は、ジアミノスチルベン、イミダゾール、イミダゾロン、トリアゾール、チアゾール、オキサゾール、オキサジアゾール、クマリン、カルボスリル、チアゾール、ナフタルイミド等を単体及び複合材料として用いることができる。
【００２５】
上部電極１０４の材料には、導電性の金属Ａｌ、Ａｇ、Ｃｒ、Ｍｏ、Ａｕ、Ｎｉ、Ｃｕ等がいずれも使用可能である。この場合、上部電極１０４上に着色荷電粒子１０６の色と同じにすると粒子が下部電極１０３上を覆った粒子色表示状態における表示特性を改善してコントラストを高めることができ好適である。例えば、着色荷電粒子１０６が黒色の場合には、透光性基板１０１上に予めほぼ同じ平面形状の色薄膜を形成した後に上部電極１０４を形成すればよい。さらに電極として、ＩＴＯ、ＩＺＯ、ＳｎＯ2等の透光性導電材料を用いると、このような粒子と同色の薄膜を形成することなく、同様の効果によりコントラストが向上できて好適である。
【００２６】
粒子移動手段１０５としては、シリコン基板上に形成したトランジスタやガラス、プラスチック等の基板上に形成した薄膜トランジスタをマトリックス状に組み合わせて用いればよい。
【００２７】
上部電極１０４はここまで記したように、導電体がパターニングされていてもよいが、図１２に示すように導電体の一部を絶縁層で覆うことによって形成してもよい。ここで透光性の部電極１０４上に透光性の絶縁層１１０を設け、その一部を開口させることによって実質的には開口部が電極として機能する構造となる。の場合には、絶縁層１１０の開口部となる実質的な電極部分は、図４に示した上部電極１０４のごとくストライプ状でもよいし、図１３に示した上部電極１０４のごとく各画素の略中心に離散的に設けてもよい。図１３のような構造は、白色表示状態において粒子色で覆われている部分がさらに小さくなり、コントラストが大幅に向上する。ここで、上部電極１０４は、図１３のような四角形状に限るものでなく、丸等の形状であっても構わない。面内において、各画素の略中心に形成されていることが好ましい形態である。また隔壁の上面構造は、図４，１３に示すように画素ごと格子状に設けてもよいし、図５，１４示すようにストライプ状にしても有効である。また、図４，５，１３，１４では画素ピッチと同一ピッチ隔壁を形成したが、画素ピッチの整数倍で形成しても効果はある。また、隔壁の色を粒子と同一にすると粒子色表示状態の表示性能を高まり、コントラストが向上する。
【００２８】
さらにまた、図１２に示すように、上部電極１０４の透光性媒質１０７側に数１００ｎｍ以上の厚さの絶縁層１１０を積層し、絶縁層１１０の開口部が溝状又は穴状となるようにすると着色荷電粒子１０６を穴又は溝内に集めることができ、ントラストがさらに向上する。
隔壁１０８を透光性とすることによる効果は、着色荷電粒子１０６を画素毎に移動させる以下の形態、特に、白表示状態において着色荷電粒子１０６を集合させる位置が隔壁１０８近傍以外とする画素構造において効果は大きい。
【００２９】
図１５、図１６、図１７は第１の透光性電極群が形成された透光性基板１０１と、該透光性基板に対向配置され基板面内の１方向において第１電極群を構成する各電極の幅より狭い第２の電極群を具備した背面基板との間に電気泳動粒子と透光性媒質を封入し、画素間に透光性の隔壁を設けた画像表示装置である。図１５は、反射電極を兼ねる下部電極１０３の一部が透光性の絶縁層１１０によって覆われ、実効的に対向した透光性基板１０１に設けられた上部電極１０４より狭い電極として機能する。
【００３０】
下部電極１０３は、粒子移動手段１０５に電気的に接続されており、電圧を変調することによって、絶縁層１１０の開口部に粒子を集合させたり、上部電極１０４上に粒子を広げたりすることが行われる。これにより、下部電極１０３の色を呈する図１５（ａ）に示した白色表示状態と、図１５（ｂ）に示した黒色表示状態とが画素毎に表示される。また、図１６は、下部電極１０３の領域を狭くして、周囲に反射層１１２を設けた構造である。この場合、粒子移動手段１０５に電気的に接続された下部電極１０３はパターニングで形成されていてもよく、この場合、図１６（ａ）において白色表示状態で光を反射させる反射層１１２は下部電極１０３と電気的に分離されている。ここで、図１６に示すように下部電極１０３と反射層１１２は同層に形成するフォトリソグラフィ工程の回数が低減できるため製造上好適である。
【００３１】
しかしながら、下部電極１０３と反射層１１２との間の電気的分離のために間隙が必要で、反射面積が狭まり反射率が低下する。このため図１７に示すように、両者を異層で形成し、下部電極１０３と反射層１１２との間に絶縁層１１０を設けると上面から見た場合の間隙を小さくできるため好適である。図１７の構造において、下部電極１０３は絶縁層１１０の開口部内に形成しているが、開口部をはみ出だしていても構わない。また、絶縁層１１０の厚さを数１００ｎｍ以上として開口部が溝状又は穴状となるようにすると、着色荷電粒子が穴又は溝内に集められるのでコントラストがさらに向上する。
【００３２】
さらにまた、透光性基板１０１と、透光性基板１０１面内の１方向において第１の電極群を構成する各電極の幅より広い第２の電極群を具備した背面基板１０２との間に電気泳動粒子１０６と透光性媒質１０７を封入し、第１の電極群に電気的に接続された粒子移動手段１０５によって表示切り替えを行う画素間に隔壁１０８を設けた画像表示装置において、隔壁１０８を透光性とすることで高反射率及び視野角改善の効果が得られる。
【００３３】
図１８は、反射電極を兼ねる上部電極１０４と、粒子移動手段１０５に電気的に接続された下部電極１０３とをパターニング形成した構成である。電圧を変調することによって下部電極１０３に粒子を集合させ画像表示装置が上部電極１０４の色を呈する図１８（ａ）に示した白色表示状態と上部電極１０４上に粒子を広げた図１８（ｂ）に示した黒色表示状態を画素毎に表示する。この形態では透光性基板１０１上に電極が形成されないため電極による透過率の低下がなく好適である。
【００３４】
また、図１９は、上部電極１０４と下部電極１０３とを異層で形成し、両電極の間に絶縁層１１０を設けたものである。このようにすると、上面から見た場合に間隙を小さくできるため好適である。図１９の構造において、下部電極１０３は絶縁層１１０の開口部内に形成しているが、開口部をはみ出していても表示可能である。また絶縁層１１０の厚さを数１００ｎｍ以上として開口部が溝状又は穴状になるようにすると着色荷電粒子が、穴、又は溝内に集められることでコントラストがさらに向上する。なお、図１９（ａ）は白色表示状態であり、図１９（ｂ）は黒色表示状態である。
【００３５】
ここまで記した構造において、白表示状態で粒子を集合させる小さい電極を画素内で複数設けると、画素内で粒子が移動する距離が狭まり、表示の切り替え時間を短縮でき好適である。図２０，２１，２２は、それぞれ図２，１２，１８の断面構造を基本として電極を複数化した構造の例である。また、図２３，２４は、図４，１３の上面構造を基本として電極を複数化した例である。ここで画素内に１方向に対して２倍の電極を設けたが、この数に限るものでなく、また、図２４のように平面の２方向で必ずしも同一の倍数にする必要はない。このような電極の複数化は、上下基板の合わせ精度が低くても画像表示が得られやすい。このため、画素ピッチ２００μｍ以下の高精細画像表示装置で有効である。また、可撓性画像表示装置でも有効で、薄いガラス、樹脂、金属薄板等の材料を用いても高精細の画像表示装置が得られる。
【００３６】
ここまで述べてきた様な画像表示装置において中間調は面積階調による表示が好ましい。図２５（ａ）に示すように下部電極１０３Ａ，…，１０３Ｄを上部電極１０４に対して垂直に分割した構造とすることで実現できる。この場合には、分割した下部電極１０３Ａ，…，１０３Ｄ上で着色荷電粒子１０６を独立に移動させることで面積諧調表示を行うものである。図２５（ａ）のように下部電極１０３Ａ，…，１０３Ｄは等しい幅で分割してもよいが、図２５（ｂ）に示すように異なる幅で分割してもよい。この場合、各反射面上に着色荷電粒子１０６が移動した場合の減光量が異なるため、より多くの階調表示が実現できる。例えば反射面を４分割する場合、図２５（ａ）に示したように等幅分割の場合には、各反射面の減光量は全て１／４のため、画素全体の減光量は０，１／４，１／２，３／４，１の５段階である。一方、図２５（ｂ）では、４反射面の分割幅を１：２：４（２の２乗）：８（２の３乗）とすると、４反射面の減光量は１／１５，２／１５，４／１５，８／１５となり、０，１／１５，・・・，１４／１５，１の１６段階の階調表示が可能となり好適である。このように、反射面を不等間隔幅でＮ個に分割すると２のＮ乗の階調表示が可能となる。
【００３７】
また、本画像表示装置をカラー化するためには、図２６に示すように、１画素内に赤色，緑色，青色の３色を表示する表色部分１１５Ａ，１１５B，１１５Ｃを設ければよい。この場合には、着色荷電粒子１０６を黒色として基板又は下部電極１０３からなる反射面は可視光全域で略均一な反射率をもたせ、各表色部分に応じて赤色，緑色，青色を透過するカラーフィルタを配置すればよい。また、カラーフィルタを用いない場合、反射面が各表色部分に応じて赤色，緑色，青色を反射させてもよい。さらに、カラーフィルタも用いず反射面は可視光全域で略均一な反射率をもたせる場合、着色荷電粒子１０６を黒色として透光性媒質１０７が各表色部分に応じて赤色，緑色，青色のみ透光させても実現できる。また、図２７に示すような３層の積層構造によっても実現できる。この場合、３層の下部電極１０３のうち最下層の１０３Ａのみが反射面を有し、上の２層の下部電極１０３Ｂ，１０３Ｃ及び基板は透光性電極を用いる。ここで着色荷電粒子１０６Ａ，１０６Ｂ，１０６Ｃは、それぞれ赤色，緑色，青色のみを吸収する液体を用いれば３層の液体の移動によりフルカラーの表示が可能となる。
【００３８】
（具体例１）
本発明の一実施形態である画像表示装置の具体例につき図４及び図２８を用いて説明する。
本画像表示装置は、図４に示すように、下部電極１０３が画素ごとに５０μｍ間隔で２次元的に配列され画素間は格子状の隔壁１０８で仕切られており、各画素のほぼ中央を通過するストライプ状に上部電極１０４が形成されている。その断面を図２８に示す。透光性基板１０１の透光性媒質１０７側に、フォトリソソグラフィを用いて、ＩＴＯ等の透明性導電膜よりなる透光性の上部電極１０４が形成されている。一方、２次元配列で粒子移動手段１０５を形成した背面基板１０２上にＡｌ等の高反射率の金属材料により下部電極１０３した。さらに屈折率１．５９のカルドポリマー重合体からなる高さ５μｍの下部隔壁１０８Ａと、屈折率１．４９のアクリル系ポリマー重合体からなる高さ２μｍ隔壁１０８Ｂを幅５μｍで格子状にパターニングして上部隔壁１０８Ｂを形成した。
【００３９】
隔壁１０８と透光性基板１０１と背面基板１０２とで囲まれた領域に黒色着色荷電粒子１０６を分散させた屈折率１．３８の透光性媒質１０７で満たした後、基板１０１と一体化して封止して画像表示装置を得た。本画像表示装置は、上部電極１０４を０Ｖに維持し、粒子移動手段１０５の作用によって下部電極１０３を＋／−１０Ｖで変調することで図１１に示すように透光性媒質１０７に分散させた黒色の着色荷電粒子１０６が移動し、画素ごとに白黒の表示を行った。ここで粒子移動手段１０５は、例えばアモルファスシリコン、多結晶シリコン等の材料で形成された薄膜トランジスタ１１７を用い、図２９に示すようにマトリックス状に組み合わせて画素セル１１８の粒子移動を制御して画像を表示する。ここで、薄膜トランジスタ１１７はドレイン線１１９、ゲート線１２０を介してドライバ回路１２１、１２２により制御をおこなった。
【００４０】
ここで用いる着色荷電粒子１０６は、例えば各種の着色顔料等にさまざまの手法にて電荷を付与したものがいずれも使用可能である。例えば、白黒表示のためには、カーボンブラックを分散させた液体などの黒色液体を用いればよい。透光性媒質１０７は、水、アルコール、石油類等に透明な液体がいずれも使用可能である。ここで本具体例のように画素毎が隔壁１０８によって仕切られている場合には、粒子の画素間の移動による擾乱が阻止され好適である。
また、下部電極１０３は、アルミニウム、銀、金等の可視光において高い反射率を有する金属材料を用いると反射面を兼ねるため、さらに好適である。この場合、電極の表面に微細な凹凸を生ぜしめ反射光に拡散性を与えた拡散反射面とすると、その凹凸形状により反射光の拡散範囲を所望の範囲に設定することが可能で、拡散範囲を狭めることによって適当な範囲において高輝度の画像が得られ好適である。
【００４１】
（具体例２）
本実施形態の画像表示装置の他の具体例につき図１２及び図１３を用いて説明する。
本具体例の画像表示装置も、図１３に示すように下部電極１０３と上部電極１０４とからなる画素が２次元的に配列されている。具体例１の場合と異なり上部電極１０４が画素ごとに形成されている。本画像表示装置では、透光性基板１０１上にＩＴＯからなる透光性電極層１０４、透光性の絶縁層１１０を形成した後、絶縁層１１０に電極層１０４まで貫通する穴を形成することで、実効的に電極として機能する開口部が２次元離散的に形成される。ここで、穴形状は図１３のような四角形状に限るものでなく、丸等の形状であっても構わない。面内において、各画素の略中心に形成されていることが重要である。この基板を具体例１と同様に、２次元配列で粒子移動手段１０５、隔壁１０８、下部電極１０３を形成した基板１０２に黒色の着色荷電粒子１０６を分散させた透光性媒質１０７で満たした後、透光性基板１０１と一体化して封止して画像表示装置を得る。本画像表示装置は、上部電極１０４の中で実効的に電極として機能する絶縁層１１０の開口部の面積が小さいため、粒子が小さい空間に集まって白表示状態の開口率が高まり、高反射率で高コントラストの画像表示装置が得られる。
【００４２】
（具体例３）
本実施形態の画像表示装置の他の具体例につき図１３及び図１８を用いて説明する。
本具体例の画像表示装置も、図１３に示すように下部電極１０３と上部電極１０４との対が２次元的に配列され、画素を構成している。本画像表示装置では、厚さ０．２ｍｍのＦeＮi４２アロイからなる金属薄板上に樹脂絶縁平滑膜を塗布した可撓性基板上に具体例１と同様２次元配列で粒子移動手段１０５、隔壁１０８を形成した後、Ａｌ層を堆積しパターニングすることで下部電極１０３と上部電極１０４とを同一層に形成した。これに、黒色の着色荷電粒子１０６を分散させた透光性媒質１０７で満たした後、厚さ０．１ｍｍの可撓性樹脂基板と一体化して封止して画像表示装置を得る。本画像表示装置は、基板１０１上に画素パターンが形成されていないため、透光性基板１０１と背面基板１０２を高精度で合わせる必要なく薄いガラス、樹脂、薄板金属等の可撓性基板が使用に好適となりフレキシブルで衝撃に対して強い画像表示装置が得られる。同様な効果は、表面側の透光性基板１０１にパターンが無い図１５，１６，１７，１９に示した構造についてもあり、可撓性基板を用いることにより、フレキシブルかつ衝撃に強い画像表示装置が得られる。
【００４３】
（具体例４）
本実施形態の画像表示装置の他の具体例につき図２１及び図２４を用いて説明する。
本具体例の画像表示装置も、図２４に示すように下部電極１０３と上部電極１０４からなる画素が２次元的に配列されている。具体例２の場合と異なり上部電極１０４が各画素に４点に形成されている。本画像表示装置では、透光性基板１０１上にＩＴＯ等からなる透光性の上部電極１０４、透光性の絶縁層１１０を形成した後、絶縁層１１０に上部電極１０４まで貫通する穴を形成することで、実効的に電極として機能する開口部を２次元離散的に形成する。この基板を具体例１と同様の２次元配列で粒子移動手段、隔壁１０８、下部電極１０３を形成した背面基板１０２に黒色の着色荷電粒子１０６を分散させた透光性媒質１０７で満たした後、透光性基板１０１と一体化して封止して画像表示装置を得る。本画像表示装置は、上部電極１０４の中で実効的に電極として機能する絶縁層１１０の開口部の間隔を狭くし、画像切り替え時の粒子移動距離を短くできるため、画像切り替え時間を短縮し応答速度が改善する。また、このように複数の電極を画素内に有する構造では、基板１０１上にパターンが形成されていても、透光性基板１０１と背面基板１０２との合わせ位置のズレに対して、画像表示性能の劣化が少なく、高精度で合わせる必要がなくなるため薄いガラス、樹脂、薄板金属等の可撓性基板が使用に好適で、フレキシブルで衝撃に対して強い画像表示装置が得られる。
【００４４】
（第２実施形態）
第１実施形態は、隔壁全体に透光性部材を用いたが、透光性部材及び反射部材を用いても構成することができる。この反射部材は、前記したように複素屈折率の虚部を主体とした光学部材である。
第２実施形態の画像表示装置を図３０から図３６を用いて説明する。
図３０は、画像表示装置の画素部断面図である。本実施形態においては、透明な隔壁１０８内に傾斜面を有する突起構造を持つ隔壁内突起部１００１を設け、その上に反射層１００２を形成したことを特徴としている。ここでは、下部電極１０３を集合電極とした画素構造を示し、白表示する場合には下部電極１０３に電圧を印加し、着色荷電粒子１０６を集めるようにした。図３０は、この白表示を行っている画素を示している。白表示する場合、下部電極１０３に、図示していないスルーホールを通じて接続した図示していない薄膜トランジスタにより電圧が印加され、電気泳動粒子である着色荷電粒子１０６が駆動される。
【００４５】
まず、図３０を用いて、隔壁内突起部１００１上の反射層１００２が外界から入射した光線に与える作用について説明する。ここでは、隔壁内突起部１００１として、断面が傾斜角度αを持つ二等辺三角形状とした。この隔壁内突起部１００１上に金属の薄膜を形成し、反射層１００２とした。この反射層１００２は、反射率が高く、また、可視波長範囲で反射率がほぼ一定であることが望ましく、ＡｌやＡｇを用いて金属膜を形成すればよい。ここで、Ａｌの複素屈折率の実部は１．４４、虚部は５．２３であり、反射率は０．８３である。また、Ａｇの複素屈折率の実部は０．２０、虚部は３．４４であり、反射率は０．９４である。このように金属膜を用いて反射層１００２を形成する場合には、下部電極１０３と同一成膜された膜を用いることができる。或いは、誘電体膜を積層した構成の反射膜を用いることもできる。このように、隔壁内突起部１００１は傾斜反射面を有するために、透光性基板１０１に垂直に近い入射角度で隔壁１０８に入射した光線１１００ａは、反射層１００２で反射し、隣接する画素セル１１８ｂ内に入射する。
【００４６】
隣接した画素セル１１８が白表示の場合、反射層１００２に当たった光線は、直接拡散反射層１００３に当たった照明光と同じく表示に寄与することができる。このように、従来隔壁１０８に入射し、利用されなかった光を画素セル１１８の拡散反射層１００３に当てて照明光として利用できるため、従来に比べて明るい表示が可能となる。但し、反射層１００２に反射した光線が、拡散反射層１００３に当たらずに直接的に透光性基板１０１の外に出ると、コントラストの低下や写り込みが起り、画質の劣化が生じることになる。そこで、入射した光線が反射層１００２で反射した後、直接的に透光性基板１０１の外に出ないようにするための傾斜角度αの条件を求めた。
【００４７】
反射層１００２で反射した光線が透光性基板１０１の外に出ないようにするためには、反射層１００２で透光性基板１０１側に反射した光線が透光性基板１０１表面で全反射するようにすればよい。そのためには、透光性基板１０１表面に平行に近く入射した光線１１００ｂ（入射角度９０°）が、反射層１００２で反射した後、透光性基板１０１表面で全反射するように傾斜角度αを定めればよい。そのための傾斜角度αは、透光性溶媒の屈折率ｎ2と隔壁の屈折率ｎ3の大小関係により、
【数５】
0004806220.tif 000002
【数６】
0004806220.tif 000003
となることを示すことができる。このように傾斜角度αを定めると、反射層１００２で反射した光線が直接透光性基板１０１の外に出ることはなく、その多くは、隣接する画素セル１１８内の拡散反射層１００３に当たるか透光性基板１０１に当たり全反射することになる。透光性基板１０１で全反射した光線の多くも、隣接する画素セル１１８あるいは他の画素に入射する。この光線が白表示画素に入射すると、外界から直接白表示画素に入射した光線と同じく表示に寄与することができる。また、反射層１００２に当たらず隔壁１０８を透過した光線も、これまで説明した本発明の画像表示装置と同ように画素セルの照明に利用される。したがって、隔壁１０８に入射した光線は、隔壁１０８内でほとんど損失することなく、画素セル１１８の照明に利用されることになる。そのため、隔壁１０８を設けても隔壁１０８がない場合と同程度に明るい表示を行うことができる。また、反射層１００２を設けても隔壁１０８から直接的に透光性基板１０１の外に光線が出ることがないため、コントラストの低下が生じず、さらに、反射層１００２を鏡面としても写り込みが生じない。
【００４８】
一般的には、電気泳動用に用いる液体である透光性媒質１０７の屈折率ｎ2は隔壁に用いる透明性媒体よりも屈折率が低い場合が多く、（１０１）式を用いて傾斜角度αを定める場合が多い。その場合には、隔壁１０８の屈折率ｎ3は透光性媒質１０７の屈折率ｎ2に近いほうが、傾斜角度αを小さくでき、隔壁内突起部１００１の高さを低くできるため、隔壁内突起部１００１の作製が容易となり望ましい。つまり、通常用いる透光性媒質１０７に対しては、屈折率の小さな隔壁１０８材を用いることが望ましい場合が多い。透光性媒質１０７としては、屈折率ｎ3の大きい溶媒を用いたほうが傾斜角度αを小さくできため、望ましい。
【００４９】
次に、画素から表示光として視点側に光を取り出す場合の反射層１００２の作用について図３１を用いて説明する。白表示画素１０１１では、透光性基板１０１の外から入射した照明光が拡散反射層１００３で拡散し、この拡散光が透光性基板１０１より視点側に取り出されて白く見える（光線１１００ｃ）。拡散光の中で拡散角度が大きく、隔壁内突起部１００１を設けない場合には黒表示の画素で吸収されるか、或いは透光性基板１０１で全反射して透光性基板１０１の外には出てこないような光線１１００ｄも、その一部は反射層１００２で反射することで透光性基板１０１より取り出すことができる。そのため、拡散光の光取り出し効率を向上し輝度の向上に寄与することができる。このように、反射層１００２の白表示画素１０１１側斜面は、拡散反射層１００３で拡散した光が反射するため、白く見える。
【００５０】
一方、黒表示画素１０１２側においては、外界から入射し反射層１００２で反射した光線１１００ｅの多くは、黒表示画素１０１２内の着色荷電粒子１０６に吸収される。黒表示画素１０１２で吸収されなくても透光性基板１０１で全反射するため直接外に出ることはなく、コントラストを低下させることはない。黒表示画素１０１２側から反射面１００２に当たる光線はほとんどないため、反射層１００２の黒表示画素１０１２側斜面は、隔壁１０８内部に反射体があっても、黒く見える。
【００５１】
このように、反射層１００２は、隣接する画素の表示状態に合わせて白又は黒に見えるため、隔壁１００１にはスイッチング機能がないにも係わらず、隣接する画素に合わせて白黒が変化する。そのため、単に隔壁上部にブラックマトリックスを設けて反射光を無くした場合には、一画素の面積が白画素よりも黒画素の方が広くなってしまうのに対し、この場合は、白と黒の一画素の面積をほぼ等しくすることができることになる。従来、この白画素と黒画素の面積差は、解像度が大きくなるにしたがって顕著となっていたものであり、解像度が大きな場合においても白画素と黒画素の面積がほぼ等しい忠実な画像を得ることができるようになる。
【００５２】
これまで、反射層１００２で反射したすべての光線が直接透光性基板１０１の外には出ない条件について示した。この場合、隔壁１０８に入射した光線をほぼすべて照明に利用できるため、光利用効率を最も高くできる。一方、隔壁内突起部１００１の作製を容易にするという観点からは、傾斜角度αの小さな隔壁内突起部１００１を用いることが望ましい。そこで、この光利用効率の多少の低下は許容することとし、傾斜角度αのより小さな隔壁内突起部１００１を用いてもコントラスト低下及び写り込みを発生せずに従来に比べて明るさを向上できる条件について次ぎに示す。
【００５３】
背景の写り込みが生じず、コントラストの低下がないという観点から求まる傾斜角度αの条件を、図３２を用いて説明する。画像表示装置の表示を見る場合、ほぼ画像表示装置の正面から見る場合が多い。画像表示装置の正面から見た場合に背景の写り込みが生じないようにするためには、透光性基板１０１の表面すれすれに入射（入射角度９０°）し、反射面１００２で反射した光線１１００ｆが、正面方向（出射角度０°）よりも光入射側に出射するように、傾斜角度αを定めればよい。そのための傾斜角度αの条件は、
【数７】
0004806220.tif 000004
【数８】
0004806220.tif 000005
と表され、傾斜角度αは、（１０１）式及び（１０２）式の半分にできることが分かる。
【００５４】
そのため、隔壁内突起部１００１の高さを小さくすることができ、作製しやすくなる。実際に画像表示装置を見る場合、正面に対してある程度角度をもって見るため、その見込み角度の範囲を織り込んで、（１０３）式あるいは（１０４）式より求まる傾斜角度αよりも大きな値にすることが望ましい。
【００５５】
次に、コントラストが低下しないという観点から求まる傾斜角度αの条件を、図３３を用いて説明する。これまでに示したように、少なくとも片側の画素が白表示の場合、反射層１００２で反射した光線が透光性基板１０１から取り出されても、白表示に寄与することができる。したがって、少なくとも隔壁１０８の片側の画素が白表示となっている場合には、反射層１００２からの反射光が直接透光性基板１０１の外に出てきてもコントラストを低下させることはない。そのため、両側を黒表示画素で挟まれた隔壁１０８についてのみコントラストが低下しないように考慮すればよいことになる。両側が黒表示の場合、表示セル１１８内には遮光性の着色荷電粒子１０６が分散しているため、隔壁１０８に入射する光線としては、隔壁１０８の透光性基板１０１側の面より入射する光線のみを考慮すればよい。コントラストを低下させないように、この光線が反射層１００２で反射した後再び透光性基板１０１を透過して外に出てこないようにするためには、この光線が隣接する黒表示画素に入射して吸収されるようにすればよい。
【００５６】
反射層１００２に当たらずに隔壁１０８と透過する光線１１００ｈは、黒表示画素に入射して吸収されるため、隔壁１０８の角付付近を通って隔壁内突起部１００１の頂点付近に入射する光線１０１０ｇが、黒画素セル内に反射されるように傾斜角度αを定めればよい。そのためには、隔壁の幅をｗ、高さをｄとすると、傾斜角度αは、
【数９】
0004806220.tif 000006
を満たすように定めればよいことが示される。この式から傾斜角度αの満たすべき条件を求めると、ｄ≧ｗとし、
【数１０】
0004806220.tif 000007
とすればよいことになる。この式より、隔壁の幅ｗと高さｄが等しい場合には、傾斜角度αを４５°以上とすればよいことになる。また、さらに傾斜角度αを小さくするためには、ｄ＞ｗとなるようにアスペクト比の大きな隔壁を用いることが有効であることが分かる。
【００５７】
この場合、反射層１００２で反射した光線を隣接する黒表示画素で吸収することでコントラストが低下しないようにしているため、黒表示のときの着色荷電粒子１０６は、図３３のように画素セル内に分散しているか、あるいは、表示基板１０１側に集まるようにする必要がある。なお、コントラストよりも表示の明るさを最重要視する場合には、黒表示のときに着色荷電粒子１０６が背面基板１０２側に集まる画素構造としてもよい。この場合には、黒表示画素に隣接した反射層１００２で反射した光の一部が、透光性基板１０１にまで至り、そこで全反射して他の画素を照明することができ、さらに明るさを向上することができる。
【００５８】
隔壁内突起部１００１は、例えばフォトレジストを用いて形成することができる。フォトレジストを所望の厚さとなるようにスピンコート法などで塗布・加熱し、フォトレジスト膜を形成する。このフォトレジスト膜を、突起部に相当する部分のみが露光されるフォトマスクを用いて露光し、現像することで台形の突起部を得ることがきる。或いは、実効的な透過率を連続的に変化させたフォトマスクを用いて、位置によって露光量を変化させてもよい。尚、ネガ型のフォトレジストを用いると、露光されていない部分からフォトレジストが溶け出すため断面形状が矩形、或いは台形に近い形状が得られ易く望ましい。
【００５９】
突起としてシリコン酸化物やシリコン窒化物などの無機物を用いてもよい。無機物の膜を成膜し、その上にフォトリソグラフィ法によりフォトレジストのパターンを形成してエッチングすることで突起部を形成することができる。尚、成膜工程において供給するＮＨ3 やＳｉＨ4 の濃度の条件を変えて、膜質の異なるシリコン窒化膜を複数層積層することで、エッチング後の突起の傾斜面の形状を制御することもできる。
【００６０】
これまで、隔壁内突起部１００１の形状が頂点の尖った理想的な三角形として説明してきたが、実際の隔壁内突起部１００１の頂点は曲率を持っており、傾斜角度が緩い部分が生じる。このような緩斜面の部分ができるだけ少なくなるように、隔壁内突起部１００１を形成することが望ましい。傾斜角度が小さなところに光吸収層を設けて光が反射しないようにしてもよい。或いは、緩斜面による写り込み（正反射）やコントラスト低下を抑制するために、隔壁内突起部１００１の高さ又は幅をランダムに変調してもよい。この場合の形状の変調は、ランダムな構造からの散乱が問題とならない程度に留めることが望ましい。
【００６１】
また、隔壁内突起部１００１の傾斜角度は、斜面全体で一定の角度とする必要はなく、場所によって異なってもよい。その場合には、傾斜角度αが少なくとも、（１０３）式又は（１０４）式を満たすことが望ましく、さらに明るい表示を得るためには、（１０１）式又は（１０２）式を満たす部分がなるべく多くなるように形成することが望ましい。そのため、隔壁内突起部１００１の断面形状は、三角形に限らず、半円形とすることもできる。このような曲率を持った凸構造は、例えばパターニングしたレジストを加熱し、メルトさせることで形成することができる。レジストパターンの幅をランダムに変調しておけば、メルト後の凸構造の幅又は高さが場所によって変化するようにできる。凸構造は、スクリーン印刷法や、インクジェットによる直接描画といった方法を用いても形成することができる。
【００６２】
本実施形態においては、反射層１００２及び拡散反射層１００３に金属膜を用いているため、これらの電位を着色荷電粒子１０６の移動に好影響となる電位とすることが望ましい。本実施形態では、図示していない薄膜トランジスタで下部電極１０３の電圧を制御し、下部電極１０３と透明電極１０９の間の電位差で着色荷電粒子１０６を移動する。つまり、着色荷電粒子１０６が正に帯電しているとすると、白表示の時には、透明電極を０Ｖ（共通電圧）とし、下部電極１０３を−Ｖｄ（Ｖｄ＞０Ｖ）とすることで着色荷電粒子１０６を下部電極１０３に集める。また、黒表示とするときには、一旦下部電極１０３の電圧を＋Ｖｃ（Ｖｃ＞０Ｖ）とし、その後０Ｖとすることで着色荷電粒子１０６が分散し、黒表示となる。このように電圧を駆動する場合には、反射層１００２及び拡散反射層１００３の電位を０Ｖ、又は、０Ｖから＋Ｖｃの間の電圧とすることが望ましい。
【００６３】
また、透明電極１０９を設けずに、下部電極１０３と拡散反射層１００３の間に電圧を印加して着色荷電粒子１０６を駆動することもできる。或いは、集合電極を透光性基板１０１側に設け、拡散反射層１００３を画素電極として、着色荷電粒子１０６を駆動することもできる。
【００６４】
以上のように、従来、隔壁１０８に入射して表示に利用されなかった光線も、本実施形態においては画素の照明に利用することができるようになり、明るい表示を行うことができるようになった。特に、表示の解像度が大きくなると表示部の中で隔壁１０８の占める割合が大きくなるため、隔壁１０８に入射する光線の利用による明るさの向上は、特に解像度が大きい場合に有効である。また、隔壁１０８の幅を大きくして隔壁１０８が占める面積の割合を大きくしても、明るい表示を得ることができる。そのため、隔壁１０８が作製し易いように、隔壁１０８のアスペクト比を小さくすることもできる。或いは、隔壁１０８の幅を大きくできるため、アスペクト比を大きくすることなく隔壁を高くし、セルのギャップを広くすることもできる。着色荷電粒子１０６の粒径が大きい場合や、濃度が薄い場合には、セルのギャップを広くすることが望ましく、その場合でも、解像度を高く、かつ明るい表示を得ることができる。また、隔壁を厚くしても、斜めから画像を見た場合に隔壁によって視角が遮られにくくなり、視野角の広い表示を得ることができる。
【００６５】
本実施形態に係わる他の変形例である画像表示装置を説明する。
図３４は、画像表示装置の画素断面図である。本実施形態では、隔壁内突起部１００１を台形形状とした。反射層１００２は、拡散反射層１００３と同層とし、拡散反射層１００３を画素電極として薄膜トランジスタで駆動した。反射層１００２を台形の頂部で分離することで、画素間を電気的に分離した。
【００６６】
台形の傾斜面の角度は、前記の形態と同様に（１０３）式又は（１０４）式、望ましくは（１０１）式又は（１０２）式を満たすように定めることで、コントラストを低下させずに明るさを向上できる。
台形の頂部は、開口部１００５とした。開口部１００５を設けることで、台形の頂部に入射した光線１１００ｉは、開口部１００５を透過して隔壁内突起部１００１内に入射し、隔壁内突起部１００１下に設けたブラックマトリックス１０１３で吸収される。そのため、隔壁内突起部１００１の頂部に平坦部があってもコントラストは低下しない。ブラックマトリックス１０１３を設けなくても、隔壁内突起部１００１内に入射した光線が内部で反射して再び開口部１００５から外に出てくる割合は小さいので、ブラックマトリックス１０１３は必ずしも設ける必要はない。又は、絶縁層１００９を透明とし、背面基板１０２側に光を逃がすようにしても、戻り光の発生を抑えることができる。
【００６７】
隔壁内突起部１００１を十分高くできる場合には、隔壁１０８を設けなくてもよい。また、隔壁内突起部１００１を、画素を分離する隔壁部として用いてもよい。この場合はｎ3＝ｎ2の場合に相当するので、反射層１００２の傾斜角度αは、（１０２）式あるいは(１０４)式の関係を満たすようにすればよい。
【００６８】
さらに、本実施形態では、離散上部電極１０４も台形状の離散電極突起部１００６側面に設けた。白表示の場合、着色荷電粒子１０６は、離散上部電極１０４に沿って集まる。この白表示時において、離散電極突起部１００６に入射した外光は、離散上部電極１０４で反射して画素セルに入射し、画素の照明に利用することができる。ここでは、図３４のように、台形の両側に離散上部電極１０４を設けたため、離散電極突起部１００６に入射した光線が、離散上部電極１０４間で多重反射して透光性基板１０１の外に戻るとコントラストを低下させるため、このような戻り光が生じないように離散電極突起部１００６の形状を定めた。透光性基板１０１に沿って入射した光線１１００ｊ（入射角度９０°）が、離散電極突起部１００６で反射した後、透光性基板１０１側に戻らないようにするためには、離散電極突起部１００６の屈折率をｎ6とすると、台形斜面の傾斜角度βを
【数１１】
0004806220.tif 000008
とする必要がある。さらに、台形底部の幅をｗsとすると、台形の高さｈを
【数１２】
0004806220.tif 000009
とする必要があることを示すことができる。
【００６９】
このように、傾斜面に形成した離散上部電極１０４に着色荷電粒子１０６を集めるようにしたため、着色荷電粒子１０６は、白表示時に透光性基板１０１側から見て台形の斜面の影（背面基板１０２側）に来るようになり、着色荷電粒子１０６による入射光の吸収が少なくなる。その結果、画素セルに入射する光量を大きくでき、表示を明るくすることができた。また、拡散反射層１００３で拡散した光線も、離散電極突起部１００６を通って透光性基板１０１の外にでてくるため、離散電極突起部１００６は白く見える。
【００７０】
一方、黒表示の場合は、離散上部電極１０４で反射した光線が直接透光性基板１０１側に戻ってくることはなく、離散電極突起部１００６を透過した光線は着色荷電粒子１０６で吸収されるため、離散電極突起部１００６は黒く見える。
以上のように、本実施形態の離散上部電極１０４により、コントラストを落とすことなく、離散上部電極１０４部に入射した光線も画素の照明として用いることができ、明るい表示を得ることができる。
【００７１】
離散電極突起部１００６は、ストライプ状としてその両側面に離散上部電極１０４を設けてもよく、あるいは島状として全側面を離散上部電極１０４としてもよい。また、離散上部電極１０４を離散電極突起部１００６の両側に設ける必要はなく、片側とすることができる。その場合には、コントラストを低下させない傾斜角度βの条件は、以下に示す形態と同じとなり、
【数１３】
0004806220.tif 000010
とすればよい。
【００７２】
台形状の隔壁内突起部１００１及び離散電極突起部１００６は、例えばフォトレジストを用いて形成することができる。フォトレジストを所望の厚さとなるようにスピンコート法などで塗布・加熱し、フォトレジスト膜を形成する。このフォトレジスト膜を、突起部に相当する部分のみが露光されるフォトマスクを用いて露光し、現像することで台形の突起部を得ることができる。或いは、実効的な透過率を連続的に変化させたフォトマスクを用いて、位置によって露光量を変化させてもよい。尚、ネガ型のフォトレジストを用いると、露光されていない部分からフォトレジストが溶け出すため断面形状が矩形、或いは台形に近い形状が得られ易く望ましい。これらポジ型、ネガ型のレジストの選択は、所望の形状の突起が得られやすいものを選べばよい。
【００７３】
突起としてシリコン酸化物やシリコン窒化物などの無機物を用いてもよい。無機物の膜を成膜し、その上にフォトリソグラフィ法によりフォトレジストのパターンを形成してエッチングすることで突起部を形成することができる。尚、成膜工程において供給するＮＨ3 やＳｉＨ4 の濃度の条件を変えて、膜質の異なるシリコン窒化膜を複数層積層することで、エッチング後の突起の傾斜面の形状を制御することもできる。
【００７４】
ここでは、離散電極突起部１００６を用いた離散された上部電極１０４構造との台形状の隔壁内突起部１００１を設けた隔壁１０８構造とを組み合わせて示したが、必ずしも組み合わせて用いる必要はなく、離散電極突起部１００６を用いた離散された上部電極１０４は、透光性基板１０１側に離散電極を設ける画素構造に広く適用することができる。
【００７５】
本実施形態に係わる他の変形例である画像表示装置を説明する。
図３５は、画像表示装置の画素部断面図である。
ここでは、隔壁内突起部１００１を低屈折率、隔壁１０８を高屈折率とし、隔壁内突起部１００１と隔壁１０８との界面で生じる全反射を利用して、外部入射光の光利用効率の向上を図った。界面で全反射する光線１１００ｋの入射角度θは、隔壁１０８の屈折率をｎ3、隔壁内突起部１００１の屈折率をｎ4とすると、
【数１４】
0004806220.tif 000011
と表される。この式より、全反射する光の割合を大きくするためには、隔壁内突起部１００１の屈折率ｎ4は小さく、隔壁１０８の屈折率ｎ3は大きいことが望ましく、また、傾斜角度αは大きいことが望ましいことになる。
【００７６】
（１１０）式よりも大きな入射角度を持つ光線は、隔壁内突起部１００１に入射し、隔壁内突起部１００１の底部１０１４に当たる（光線１１００ｍ）か、隔壁内突起部１００１を透過して隣の画素に入射する（光線１１００ｎ）。本実施形態では、明るさを重視し、隔壁内突起部１００１の底部１０１４に光拡散層１００７を設けた。底部１０１４に至った光線１１００ｍは、光拡散層１００７で拡散して透光性基板１０１の外に取り出すことができる。この場合、隔壁は白っぽく見えることになる。画素を黒表示とすると、光線１１００ｍは黒表示の画素の中を透過するため吸収され、隔壁１０８まで至る光量は少なくなる。そのため、底部１０１４に光拡散部材や反射部材を設けてもコントラストの低下は小さくできる。そのため、底部１０１４に光拡散層１００７を設けても黒画素に挟まれた隔壁１０８は黒く見えることになる。コントラスト低下をできるだけ抑制するためには、光拡散層１００７に変えて光吸収層を設ければよく、或いは、絶縁層１００９を透明とし背面基板１０２側に光が逃げるようにすればよい。
【００７７】
（１１０）式より示されるように、隔壁内突起部１００１は低屈折率であることが望ましく、透光性溶媒１０７の屈折率が小さい場合には、透光性溶媒１０７を隔壁内突起部１００１に用いることもできる。この場合、例えば、透光性基板１０１側に隔壁内突起部１００１のところを空洞とした隔壁１０８を形成し、着色荷電粒子１０６を離散上部電極１０４に集めるように電極間に電圧を印加した状態でセルを封止することで、隔壁内突起部１００１内に透光性媒質１０７を充填することができる。
【００７８】
本実施形態では、全反射を用いているために、隔壁内突起部１００１と隔壁１０８との界面において光の損失が生じない。そのため、隔壁内突起部１００１と隔壁１０８との屈折率差が大きく、傾斜角度αも大きくした場合には、隔壁１０８に入射した光の利用効率を大きくすることができる。
【００７９】
さらに、本実施形態においては、離散上部電極１０４を透光性基板１０１に形成したＶ字型の溝部１０１５の側面に設けた。ここでも、透光性基板１０１から入射した光線が、離散上部電極１０４で反射した後、直接透光性基板１０１から外に出ないように、溝部１０１５の傾斜角度γを定めた。そのためには、透光性基板１０１の屈折率をｎ1とすると、溝部１０１５の傾斜角度γは、
【数１５】
0004806220.tif 000012
となるようにすればよい。透光性基板１０１から入射した光線が、離散上部電極１０４で反射した後、直接透光性基板１０１から外に出ないため、離散上部電極１０４を反射面としてもコントラストの低下は起きない。
【００８０】
このように、溝部１０１５内の離散上部電極１０４に着色荷電粒子１０６を集めるようにしたため、着色荷電粒子１０６は、透光性基板１０１側から見て離散上部電極１０４の背面に来るようになるため、白表示において着色荷電粒子１０６による入射光の吸収を少なくできる。外界から入射し離散上部電極１０４で反射した光線は、透光性基板１０１から直接外に出ることはないため、画素を照らす照明光として利用することができる。そのため、画素セルに入射する光量を大きくでき、明るい表示を得ることができる。離散上部電極１０４で反射した光線が、できるだけ同じ画素の拡散反射層１００３に直接当たるようにすると、離散上部電極１０４で反射した光線が白表示の画素に当たる割合を大きくできることになり、望ましい。そのためには、傾斜角度γは大きくすることが望ましい。
【００８１】
一方、黒表示の場合は、離散上部電極１０４で反射した光線が直接透光性基板１０１側に戻ってくることはないため、溝部１０１５は黒く見えることになる。
本実施形態においては、以上のように、コントラストを落とすことなく、従来用いられなかった離散上部電極１０４部に入射した光線を画素の照明として用いることができ、明るい表示を得ることができるようになる。
【００８２】
離散電極突起部１００６は、ストライプ状としてその両側面に離散上部電極１０４を設けてもよく、あるいは島状として全側面を離散上部電極１０４としてもよい。また、溝部１０１５を透光性基板１０１に直接設けるのではなく、透光性基板１０１の内側に透明な層を別途設けて、そこに溝部１０１４を形成してもよい。
なお、溝部１０１５を用いた離散電極構造は、本実施形態の隔壁部構造と組み合わせて用いる必要はなく、透光性基板１０１側に離散電極を設ける場合に広く適用することができる。
【００８３】
本実施形態に係わる別の画像表示装置を説明する。
図３６は、画像表示装置の画素断面図である。
本実施形態では、図３５に示した隔壁部の形態に加えて、透光性基板１０１に透光性基板１０１側に凸形状となるレンズ部１００８を設けた。レンズ部１００８の屈折率ｎ5を透光性基板１０１の屈折率ｎ1よりも小さくし、レンズ部１００８が凹レンズとして機能するようにした。レンズ部１００８を凹レンズとすることで、隔壁の上部から隔壁内突起部１００１に入射する光線の入射角度を小さくした。そのため、隔壁内突起部１００１と隔壁１０８との界面で全反射する光量が増加し、表示を明るくすることができた。
【００８４】
このように、レンズ部１００８は凹レンズとして機能することが望ましいが、凸レンズ構造としても、角度の大きな光線が隔壁内突起部１００１に当たる前に隣接する画素部に透過する場合には、凸レンズとして作用する構造を設けてもよい。
隔壁内突起部１００１と設けず、レンズ部１００８のみを設けても、隔壁の底部（背面基板１０２側）に入射する光線の量を低減でき、明るさを向上する効果が得られる。また、レンズ部１００８を設ける効果は、上述の反射層を用いた隔壁部の形態においても効果がある。
【００８５】
ここまで示したように、隔壁部に反射部材を設けることにより、従来隔壁に入射して利用されなかった光を再利用して表示の明るさを向上することができるようになった。この光の再利用は、白表示画素に隣接した隔壁内においてその割合が大きい。さらに、透光性基板１０１で全反射した光が再び白表示画素に入射して照明光として利用されるためには、黒表示部に対して白表示部の割合が大きいことが望ましい。そのため、白表示部が多いほど光の再利用効率が高くなり、電子書籍端末などのように白い背景に黒い文字等を表示する表示装置に特に適している。
【００８６】
本実施形態は、隔壁１０８に入射する光を隔壁１０８から取り出して明るさを向上することに特徴があり、画素セルの構造は、隔壁１０８とは異なる位置に着色荷電粒子１０６を集めるものであればよく、その構造を限定するものではない。
また、これまで隔壁内突起部１００１は、隔壁１０８内に一つの凸部を持つ場合について示したが、回折や散乱が問題とならない程度の大きさの複数の凸部を設けることもできる。
【００８７】
（具体例５）
第２実施形態の画像表示装置の具体例を、図３０を参照して説明する。
画像表示装置の解像度は、６００ｐｐｉ（画素ピッチ４２μｍ）とした。また、隔壁１０８は、屈折率１．４９のアクリル系樹脂を用いて形成し、幅を５μｍとした。この場合、正面から見たときに隔壁１０８の占める面積は、１２％となる。透光性媒質１０７には、屈折率１．３８のシリコーンオイルを用いた。この場合、（１０１）式より、α≧５０．３°とすることが望ましい。本具体例では、傾斜角度αが６０°となるように、隔壁内突起部１００２の高さを４．３μｍに定めて隔壁内突起部１００２を形成した。
【００８８】
（具体例６）
第２実施形態の画像表示装置の他の具体例を、図３４を参照して説明する。
画像表装置の解像度は、６００ｐｐｉ（画素ピッチ４２μｍ）とした。また、隔壁１０８は、屈折率１．４９のアクリル系樹脂を用いて形成し、幅を５μｍとした。透光性媒質１０７には、屈折率１．３８のシリコーンオイルを用いた。この場合、（１０１）式より、α≧５０．３°とすることが望ましい。本具体例では、傾斜角度αが６０°となるように、隔壁内突起部１００２の高さを定めて、隔壁内突起部１００２を形成した。
【００８９】
また、離散電極突起部１００６を屈折率１．７６のポリマーを用いて形成した。この高屈折率ポリマーには、酸化チタン微粒子をポリマー材の中に分散することで屈折率を高くしたものを用いた。（１０７）式より、離散電極突起部１００６の傾斜角度βは、β≦６２．３°とする必要があることが示される。本具体例では、傾斜角度βを６５°とし、（１０８）式を満足するように、離散電極突起部１００６の表面基板側での幅ｗsを１０μｍ、高さｈを１．８μｍとした。
【００９０】
（具体例７）
第２実施形態の画像表示装置のさらに他の具体例を、図３５を参照して説明する。
隔壁１０８を屈折率１．７６のポリマーを用い、隔壁内突起部１００１には、屈折率１．３４のポリマーを用いた。隔壁内突起部１００１の底面幅と高さを等しく５μｍと作製したため、傾斜角度αは６３．４°とした。（１０９）式より、透光性基板１０１に対して２４．９°よりも小さな入射角度で入射し、隔壁１０８と隔壁内突起部１００１の界面に入射した光線が全反射し、画素を照明することができる。
また、透光性基板１０１に屈折率１．５９のポリカーボネートを用いた。そのため、（１１０）式を満たす傾斜角度γは、３９°以上となる。本具体例では傾斜角度γを４５°とした。溝部１０１５をストライプ状とし、透光性基板１０１にダイサーで加工した。この溝部１０１５にＡｌを用いて離散上部電極１０４を形成した。
【００９１】
（具体例８）
第２実施形態の画像表示装置のさらに他の具体例を、図３６を参照して説明する。
隔壁の構造は、具体例７と同じとし、隔壁１０８の上の透光性基板１０１内にレンズ部１００８を設けた。レンズ部１００８は、屈折率１．５９の透光性基板１０１に形成した幅５μｍ、高さ２．５μｍの半円の溝に屈折率１．３４の樹脂を埋め込んで形成した。このレンズ部１００８を設けたことで、透光性基板１０１に約３５°よりも小さな入射角度で入射した光線が隔壁１０８と隔壁内突起部１００１の界面で全反射するようになった。
【００９２】
以上説明したように、本実施形態により、画像表示装置の反射率が高まるという所期の目的を達成することができる。また、視角特性が改善し、高品質な画像表示装置を実現することができる。
【図面の簡単な説明】
【００９３】
【図１】第１実施形態の画像表示装置の上面図及び断面図である。
【図２】第１実施形態の画像表示装置の表示原理を説明する図である。
【図３】第１実施形態の変形例である画像表示装置の断面図である。
【図４】第１実施形態の画像表示装置の上面図である。
【図５】第１実施形態の変形例である画像表示装置の上面図である。
【図６】従来技術の画像表示装置の表示原理を説明する図である。
【図７】入射角度に対する反射率を示す図である。
【図８】第１実施形態の他の変形例である画像表示装置を説明する図である。
【図９】第１実施形態の他の変形例である画像表示装置を説明する図である。
【図１０】第１実施形態の他の変形例である画像表示装置を説明する図である。
【図１１】第１実施形態の他の変形例である画像表示装置の断面図である。
【図１２】第１実施形態の他の変形例である画像表示装置の断面図である。
【図１３】第１実施形態の他の変形例である画像表示装置の上面図である。
【図１４】第１実施形態の他の変形例である画像表示装置の上面図である。
【図１５】第１実施形態の他の変形例である画像表示装置の断面図である。
【図１６】第１実施形態の他の変形例である画像表示装置の断面図である。
【図１７】第１実施形態の他の変形例である画像表示装置の断面図である。
【図１８】第１実施形態の他の変形例である画像表示装置の断面図である。
【図１９】第１実施形態の他の変形例である画像表示装置の断面図である。
【図２０】第１実施形態の他の変形例である画像表示装置の断面図である。
【図２１】第１実施形態の他の変形例である画像表示装置の断面図である。
【図２２】第１実施形態の他の変形例である画像表示装置の断面図である。
【図２３】第１実施形態の他の変形例である画像表示装置の上面図である。
【図２４】第１実施形態の他の変形例である画像表示装置の上面図である。
【図２５】階調表示を説明するための図である。
【図２６】多色表示を説明するための図である。
【図２７】多色表示を説明するための他の図である。
【図２８】第１実施形態の他の変形例である画像表示装置の動作を説明するための図である。
【図２９】駆動回路を示す図である。
【図３０】第２実施形態の画像表示装置を説明する図である。
【図３１】第２実施形態の変形例である画像表示装置を説明する図である。
【図３２】第２実施形態の他の変形例である画像表示装置を説明する図である。
【図３３】第２実施形態の他の変形例である画像表示装置を説明する図である。
【図３４】第２実施形態の他の変形例である画像表示装置を説明する図である。
【図３５】第２実施形態の他の変形例である画像表示装置を説明する図である。
【図３６】第２実施形態の他の変形例である画像表示装置を説明する図である。
【符号の説明】
【００９４】
１０１  透光性基板
１０２  背面基板
１０３  下部電極
１０３Ａ，１０３Ｂ，１０３Ｃ，１０３Ｄ  下部電極
１０４  上部電極
１０４Ａ，１０４Ｂ，１０４Ｃ，１０４Ｄ  上部電極
１０５  粒子移動手段
１０６  着色荷電粒子
１０７  透光性媒質（透光性液体）
１０８  隔壁
１０８Ａ  下部隔壁
１０８Ｂ  上部隔壁
１０９  透明電極
１１０  絶縁層
１１１  遮光層
１１２  反射層
１１３  突起層
１１３Ａ  突起層（高屈折率部）
１１３Ｂ  突起層（低屈折率部）
１１４  凹凸層
１１５Ａ，１１５Ｂ，１１５Ｃ  表色部材
１１７  薄膜トランジスタ
１１８  画素セル
１１９  ドレイン線
１２０  ゲート線
１２１，１２２  ドライバ回路
２０１  透光性基板
２０２  背面基板
２０３  隔壁
２０４  第１の電極
２０５  第２の電極
２０６  着色荷電粒子
２０７  透光性媒質
２０８  遮光層
１００１  隔壁内突起部
１００２  反射層
１００３  拡散反射層
１００５  開口部
１００６  離散電極突起部
１００７  光拡散層
１００８  レンズ部
１００９  絶縁層
１０１１  白表示画素
１０１２  黒表示画素
１０１３  ブラックマトリックス
１０１４  底部
１０１５  溝部
【図１】
0004806220.tif 000017
【図２】
0004806220.tif 000018
【図３】
0004806220.tif 000019
【図４】
0004806220.tif 000020
【図５】
0004806220.tif 000021
【図６】
0004806220.tif 000022
【図７】
0004806220.tif 000023
【図８】
0004806220.tif 000024
【図９】
0004806220.tif 000025
【図１０】
0004806220.tif 000026
【図１１】
0004806220.tif 000027
【図１２】
0004806220.tif 000028
【図１３】
0004806220.tif 000029
【図１４】
0004806220.tif 000030
【図１５】
0004806220.tif 000031
【図１６】
0004806220.tif 000032
【図１７】
0004806220.tif 000033
【図１８】
0004806220.tif 000034
【図１９】
0004806220.tif 000035
【図２０】
0004806220.tif 000036
【図２１】
0004806220.tif 000037
【図２２】
0004806220.tif 000038
【図２３】
0004806220.tif 000039
【図２４】
0004806220.tif 000040
【図２５】
0004806220.tif 000041
【図２６】
0004806220.tif 000042
【図２７】
0004806220.tif 000043
【図２８】
0004806220.tif 000044
【図２９】
0004806220.tif 000045
【図３０】
0004806220.tif 000046
【図３１】
0004806220.tif 000047
【図３２】
0004806220.tif 000048
【図３３】
0004806220.tif 000049
【図３４】
0004806220.tif 000050
【図３５】
0004806220.tif 000051
【図３６】
0004806220.tif 000052